(57)【要約】      （修正有）【課題】室内の空気が汚染される前に低コストで清浄化可能な空気清浄機管理システムを提供する。【解決手段】空気清浄機管理システム１は、画像形成機能及び画像読取機能を有する複合機２と、複合機２からの指示に基づいて動作可能な空気清浄機３Ａ〜３Ｅと、を備える。複合機２は、複合機２に対する人の移動を判定する移動判定部を有し、予め記憶した空気清浄機３Ａ〜３Ｅの位置情報と移動判定部での判定結果とに基づいて、空気清浄機３Ａ〜３Ｅの中から動作指示の送信先を決定する。【選択図】図２
2016163263.tif 000002
【特許請求の範囲】
【請求項１】
画像形成機能及び／または画像読取機能を有する画像処理装置と、
該画像処理装置からの指示に基づいて動作可能な空気清浄機と、を備え、
前記画像処理装置は、
該画像処理装置に対する人の移動を判定する移動判定部を有し、
予め記憶した前記空気清浄機の位置情報と前記移動判定部での判定結果とに基づいて、前記空気清浄機に動作指示を行うことを特徴とする空気清浄機管理システム。
【請求項２】
前記画像処理装置は、該画像処理装置への人の接近を検出する人感センサを有し、前記移動検出部が、前記人感センサでの検知結果に基づいて、前記人の移動を検出することを特徴とする請求項１に記載の空気清浄機管理システム。
【請求項３】
前記画像処理装置は、前記人が所持する携帯端末の位置情報を当該携帯端末から受信し、前記移動検出部が、前記携帯端末の位置情報に基づいて、前記人の移動を検出することを特徴とする請求項１に記載の空気清浄機管理システム。
【請求項４】
前記空気清浄機は、前記人の接近を検知する人感センサを有し、
前記画像処理装置は、前記空気清浄機から前記人感センサの検知結果を受信し、前記移動検出部が、前記空気清浄機から受信した前記人感センサでの検知結果に基づいて、前記人の移動を検出することを特徴とする請求項１に記載の空気清浄機管理システム。
【請求項５】
画像形成機能及び／または画像読取機能を有する画像処理装置であって、
該画像処理装置に対する人の移動を判定する移動判定部を備え、
予め記憶した空気清浄機の位置情報と前記移動判定部での判定結果とに基づいて、空気清浄機への動作指示を行うことを特徴とする画像処理装置。
【発明の詳細な説明】
【技術分野】
【０００１】
本発明は、空気清浄機管理システム、特に、画像形成機能及び／又は画像読取機能を有する画像処理装置を用いた空気清浄機管理システム及び画像処理装置に関する。
【背景技術】
【０００２】
近年、健康志向の高まり等に応じて、空気を清浄化することを目的として空気清浄装機が家庭やオフィスで広く使用されている。同一室内で複数台の空気清浄機が用いられることもある。
【０００３】
特許文献１には、空気清浄機と監視センタとが通信ネットワークに接続され、空気清浄機が、粉塵を集める集塵ユニットを備え、該集塵ユニットによる集塵量データを監視センタに送信し、監視センタが、上記集塵量に関するデータに基づいて空気清浄機の清浄方法を選定し、その清浄方法を表示等により出力することが開示されている。
【先行技術文献】
【特許文献】
【０００４】
【特許文献１】特開２００８−８２６６１号公報
【発明の開示】
【発明が解決しようとする課題】
【０００５】
空気清浄機を室内で使う場合に、室内の空気の汚れ度合いが悪化する可能性が予想できるのであれば、汚れ度合いの悪化を避けたり軽減させたりするために、悪化前に予め空気清浄機を動作させることが好ましい。また、上記悪化を避けるために常時空気清浄機を動作させておくことも考えられるが、この方法はコストの面で好ましくない。特許文献１に開示のシステムはこれらの点に対応するものではない。
【０００６】
本発明は、上述のような実情に鑑みてなされたものであり、室内の空気が汚染される前に低コストで清浄化可能な空気清浄機管理システム及び画像処理装置を提供することをその目的とする。
【課題を解決するための手段】
【０００７】
上記課題を解決するために、本発明の第１の技術手段は、空気清浄機管理システムであって、画像形成機能及び／または画像読取機能を有する画像処理装置と、該画像処理装置からの指示に基づいて動作可能な空気清浄機と、を備え、前記画像処理装置は、該画像処理装置に対する人の移動を判定する移動判定部、を有し、予め記憶した前記空気清浄機の位置情報と前記移動判定部での判定結果とに基づいて、前記空気清浄機に動作指示を行うことを特徴としたものである。
【０００８】
本発明の第２の技術手段は、第１の技術手段において、前記画像処理装置が、該画像処理装置への人の接近を検出する人感センサを有し、前記移動検出部が、前記人感センサでの検知結果に基づいて、前記人の移動を検出することを特徴としたものである。
【０００９】
本発明の第３の技術手段は、第１の技術手段において、前記画像処理装置は、前記人が所持する携帯端末の位置情報を当該携帯端末から受信し、前記移動検出部が、前記携帯端末の位置情報に基づいて、前記人の移動を検出することを特徴としたものである。
【００１０】
本発明の第４の技術手段は、第１の技術手段において、前記空気清浄機が、前記人の接近を検知する人感センサを有し、前記画像処理装置が、前記空気清浄機から前記人感センサの検知結果を受信し、前記移動検出部が、前記空気清浄機から受信した前記人感センサでの検知結果に基づいて、前記人の移動を検出することを特徴としたものである。
【００１１】
本発明の第５の技術手段は、画像形成機能及び／または画像読取機能を有する画像処理装置であって、該画像処理装置に対する人の移動を判定する移動判定部を備え、予め記憶した空気清浄機の位置情報と前記移動判定部での判定結果とに基づいて、空気清浄機への動作指示を行うことを特徴としたものである。
【発明の効果】
【００１２】
本発明によれば、室内の空気の汚れ度合いが悪化する前に低コストで清浄化することができる。
【図面の簡単な説明】
【００１３】
【図１】本発明の空気清浄機管理システムの一例を示す図である。
【図２】図１の空気清浄機管理システムが利用される部屋の一例を示す概略図である。
【図３】図１の空気清浄機管理システムにおける各装置の構成を示すブロック図である。
【図４】図１の複合機の処理例を説明するフローチャートである。
【図５】本発明の第２の実施形態に係る携帯端末の構成を示すブロック図である。
【発明を実施するための形態】
【００１４】
以下、図面を参照しながら、本発明の空気清浄機管理システム及び画像処理装置の好適な実施形態について説明する。なお、以下の発明において、異なる図面においても同じ符号を付した構成は同様のものであるとして、その説明を省略する。
【００１５】
図１は、本発明の空気清浄機管理システムの一例を示す図である。
図１の空気清浄機管理システム１は、画像形成機能及び画像読取機能を有する複合機２と、空気清浄機能を有する空気清浄機３Ａ〜３Ｅと、ユーザそれぞれが所持する携帯端末５を備える。複合機２と空気清浄機３Ａは、有線によりＬＡＮ（Local Area Network）１０に接続されている。その他の空気清浄機３Ｂ〜３Ｅと携帯端末５は無線ＬＡＮ（Local Area Network）アクセスポイント４を介して無線でＬＡＮ１０に接続されている。複合機２は、空気清浄機３Ａ〜３Ｅ及び携帯端末５との間でＬＡＮ１０を介して情報を送受信可能である。
【００１６】
図２は、空気清浄機管理システム１が利用された部屋の一例を示す概略図である。
図２の部屋Ｘには、２つの入口Ｘ１，Ｘ２が設けられており、携帯端末５を所持したユーザが入口Ｘ１，Ｘ２から入室する。
【００１７】
入口Ｘ１が設けられた壁と入口Ｘ２が設けられた壁とは互いに垂直の関係にある。入口Ｘ２は、該入口Ｘ２が設けられた壁において最も入口Ｘ１から遠い位置に設けられている。入口Ｘ１が設けられた壁際に沿って、入口Ｘ１に近い方から順に複合機２、空気清浄機３Ａ、空気清浄機３Ｅが設置されている。また、入口Ｘ２が設けられた壁際に、空気清浄機３Ｂが設けられている。さらに、入口Ｘ１とは反対側の壁際に沿って、入口Ｘ２に近い方から順に空気清浄機３Ｃ、空気清浄機３Ｄが設けられている。
空気清浄機３Ａ〜３Ｅの複合機２に対する相対的な位置情報は予め記憶されている。記憶先は、ＬＡＮ１０に接続された外部サーバであってもよいし、以下の例のように複合機２の記憶部であってもよい。
【００１８】
（第１の実施形態）
図３は空気清浄機管理システム１における各装置の構成を示すブロック図である。各空気清浄機３Ａ〜３Ｅの構成は共通であるため、空気清浄機３としてまとめて説明する。なお、本実施形態において携帯端末５は重要でないためその図示は省略している。
【００１９】
空気清浄機３は、制御部３１、記憶部３２、操作部３３、フィルタ３４、イオン発生器３５、ファン３６、有線通信部３７、無線通信部３８を備える。
制御部３１は、マイクロコンピュータ等から構成されるもので、記憶部３２に記憶したプログラムを読み出して実行することで空気清浄機３全体を制御する。
記憶部３２は、ＲＯＭ（Read Only Memory）やＲＡＭ（Random Access Memory），ＨＤＤ（Hard Disk Drive）などの各種記録媒体から成り、空気清浄機３の機能を実現させるプログラムやデータを記憶する。
【００２０】
操作部３３は、入力部３３ａと表示部３３ｂを有する。入力部３３ａは、ユーザからの入力を受け付けるタッチパネルやハードキーを有する。タッチパネルは、表示部３３ｂに重ねて配置され、表示部３３ｂの表示面に対するユーザの操作を検出する。ハードキーには空気清浄機３の電源ＯＮ／ＯＦＦするための電源キーなどが含まれる。表示部３３ｂは例えば液晶パネルである。
【００２１】
フィルタ３４は、例えば周知の活性炭を含む活性炭フィルタであり、このフィルタを通過する空気中の浮遊物を吸着して、空気を浄化する。例えば、空気中の塵埃、カビ等を吸着して除去する。また、複合機２から排出されたシリコンやオゾン等の化学物質等も吸着して除去することができる。
イオン発生器３５は、例えばプラズマクラスターイオン（登録商標）発生素子（ＰＣＩ）である。
ファン３６は、モータにより回転駆動されて、空気流を発生し、空気を不図示の吸入口から吸入し、フィルタ３４とイオン発生器３５を通過させた後、不図示の吹出口から吹き出させる。
【００２２】
有線通信部３７は有線によりＬＡＮ１０と接続され、無線通信部３８は無線によりＬＡＮ１０と接続されている。空気清浄機３は、これら有線通信部３７及び無線通信部３８を介して複合機２と通信可能であり、複合機２からの指示に応じて動作することができるようになっている。
【００２３】
複合機２は、プリンタ機能、コピー機能の他、ファクシミリ通信機能やデータファイリング機能、スキャン機能などの複数の機能を備えたＭＦＰ（Multi Function Peripheral） として構成されたもので、本発明の画像処理装置の一例である。
【００２４】
複合機２は、制御部２１、記憶部２２、操作部２３、通信部２４、画像読取部２５、画像形成部２６、人感センサ２７を有する。
【００２５】
制御部２１は、ＣＰＵ（Central Processing Unit）等から構成されるもので、記憶部２２に記憶したプログラムを読み出して実行することで複合機２全体を制御する。
記憶部２２は、ＲＯＭやＲＡＭ，ＨＤＤなどの各種記録媒体から成り、複合機２の各種機能を実現させるプログラムや、ＰＣなどの外部機器から送信された印刷データ、画像読取部２５により読み取った画像データ等を記憶する。さらに、記憶部２２は、操作部２３を介して入力された空気清浄機３Ａ〜３Ｅそれぞれの複合機２に対する相対的な位置情報を記憶する。
【００２６】
操作部２３は、入力部２３ａと表示部２３ｂを有する。入力部２３ａは、ユーザからの入力を受け付けるタッチパネルやハードキーを有する。タッチパネルは、表示部２３ｂに重ねて配置され、表示部２３ｂの表示面に対するユーザの操作を検出する。ハードキーには空気清浄機３の電源ＯＮ／ＯＦＦするための電源キーやコピー部数等を設定するためのテンキーなどが含まれる。表示部２３ｂは例えば液晶パネルである。
【００２７】
通信部２４は、有線によりＬＡＮ１０に接続されており、ＬＡＮ１０を介して外部機器と通信を行う。通信部２４は無線によりＬＡＮ１０に接続されていてもよい。
画像読取部２５は、不図示の原稿台にセットされた原稿を光学的に読み取って画像データとして出力するものである。画像読取部２５は、例えば原稿に光を照射する光源と、原稿からの反射光をラインイメージに結像させるレンズやミラーなどの光学系と、原稿からの反射光を受け取って原稿画像を読み取るイメージセンサと、イメージセンサから出力されたアナログ画像信号をデジタル変換する変換部 などを備えることができる。
【００２８】
画像形成部２６は、画像データを記録紙に画像形成（印刷）する機能を有する。例えば画像形成部２６は、用紙の搬送装置、感光体ドラム、帯電装置、レーザーユニット、現像装置、転写分離装置、クリーニング装置、及び定着装置等を備え、電子写真プロセスによって画像形成を行うように構成される。画像形成部２６による画像形成は他の方式であってもよい。
【００２９】
人感センサ２７は、複合機２の周囲の人を検出するセンサ部である。人感センサ２７には、人を検出するための公知の技術を適宜適用することができ、その検出方式は限定されないが、例えば人感センサ２７のセンサとして、光学式測距センサを使用し、人感センサ２７に、測距センサからの検出信号を解析する解析部を設けることができる。光学式測距センサは、レーザ光などを発光する発光素子と、発光素子から発光した光の反射光を受光する受光素子とを備え、受光素子が受光した光に応じた出力値を出力する。解析部は、光学式測距センサからの出力値に基づいて対象物までの距離を判別し、その距離に応じて画像形成装置の周囲に人が存在することを判断する。
以上のような各部を有する複合機２は、制御部２１が移動判定部２１ａを有しており、該移動判定部２１ａは、人感センサ２７での検知結果と、記憶部２２に記憶された各空気清浄機３Ａ〜３Ｅの位置情報とに基づいて、空気清浄機３Ａ〜３Ｅのいずれかに動作指示を送信する。以下に具体例を示す。
【００３０】
図４は、複合機２における処理例を説明するフローチャートである。
以下の説明では、図２の部屋Ｘのように複合機２及び空気清浄機３Ａ〜３Ｅが配置され、複合機２が有する人感センサ２７が光学式測距センサであり、入口Ｘ１の方向から接近する人を検知するものとする。
複合機２において人感センサ２７により人が検出されると（ステップＳ１）、移動判定部２１ａが、複合機２に対するその検出された人の移動を判定する（ステップＳ２）。例えば、複合機２の周囲に止まっているか否かを判定する。
次いで、複合機２は、移動判定部２１ａでの判定結果と、記憶部２２に記憶されている複合機２の配置情報とに基づいて、空気清浄機３Ａ〜３Ｅの中から動作指示の送信先を決定する（ステップＳ３）。例えば、ステップＳ２において、複合機２の周囲に止まっていると判定された場合、すなわち人感センサ２７で所定時間以上継続して人が検出されている場合、複合機２の周囲において人が作業することにより汚れが発生することが予想されるので、複合機２の近くに配置された空気清浄機３Ａ、３Ｂを動作指示の送信先として決定する。また、例えば、ステップＳ２において、複合機２の周囲に止まっていないと判定された場合、すなわち、人感センサ２７での人の検出が所定時間未満で途絶えた場合、入口Ｘ１から入室した人が、即座に入口Ｘ１から退室したとは一般的な状況では考えにくく、部屋Ｘの奥に移動したことが予想されるので、複合機２から遠い位置に配置された空気清浄機３Ｃ〜３Ｅを動作指示の送信先として決定する。
【００３１】
そして、複合機２は、動作指示の送信先として決定した空気清浄機に動作指示を送信する（ステップＳ４）。動作指示を受信した空気清浄機３では、空気清浄機能を起動させる。既に起動中であった場合は、空気清浄機能が動作指示受信後により強くなるように設定変更するようにしてもよい。
【００３２】
上述のように構成することで、部屋Ｘの室内の空気の汚れ度合いが悪化する前に低コストで清浄化することができる。
【００３３】
以上のように複合機を介して空気清浄機を管理する理由は以下の（１）〜（３）の通りである。
（１）空気清浄機の制御部はマイクロコンピュータから構成されることがほとんどであり、マイクロコンピュータの性能では上述のように管理することが難しい。
（２）複合機は、制御部が空気清浄機の管理可能な性能を有すると共に汎用のＯＳ（Operating System）を搭載しており、また、複合機は待機状態にあることが多いので、複合機を利用することにより、資源を有効活用することができる。
（３）複合機が人感センサを搭載している場合もあり、その人感センサを利用することができる。
【００３４】
なお、動作指示の送信先の決定方法は上述の例に限られず、光学式測距センサで構成された人感センサ２７が複数ある場合や、人感センサ２７がイメージセンサで構成された場合は、複合機２に対する人の移動をより細かく判定可能であるため、動作指示の送信先をより絞って決定できる。
【００３５】
（光学式測距センサで構成された人感センサ２７が複数ある場合の例）
光学式測距センサで構成された人感センサ２７ものとして、入口Ｘ１方向における周囲に存在する人を検知するもの以外に、複合機２側の壁とは反対側の壁方向における周囲に存在する人を検知するものがあったとする。
【００３６】
この環境において、前者の人感センサ２７での人の検出が開始してから所定時間未満で途絶え、その直後に後者の人感センサ２７で人を検知した場合、複合機２側の壁に沿った経路Ｐ１で人が移動しているもの予想される。したがって、この場合、複合機２で複合機２側の壁に沿って配置されている空気清浄機３Ａ、３Ｅを動作指示の送信先として決定する。
また、この環境において、前者の人感センサ２７での人の検出が開始してから所定時間未満で途絶えた後、後者の人感センサ２７で人を検知しなかった場合、入口Ｘ２が設けられた壁に沿った経路Ｐ２で人が移動しているもの予想される。したがって、この場合、経路Ｐ２に沿って配置されている空気清浄機３Ｂ、３Ｃを動作指示の送信先として決定する。
【００３７】
人感センサ２７がイメージセンサで構成されている場合は、画像解析等により人物の進行方向を判定できるので上述の人感センサ２７が複数ある場合と同様に動作指示の送信先の空気清浄機を絞って決定できる。
【００３８】
人感センサ２７としては、上述の他に、加重により動作するスイッチを内蔵したマット状のセンサ装置であるマットスイッチを用いることができる。このマットスイッチを複合機２の周辺に敷設しておき、マットスイッチによる検出信号に基づき、複合機２への人の接近を検出することができる。また、超音波センサや赤外線センサを人感センサ２７に使用することができる。
【００３９】
（第２の実施形態）
図１及び図３を参照し、図５を用いて本発明の第２の実施形態について説明する。図５は、本発明の第２の実施形態に係る携帯端末の構成を示すブロック図である。本実施形態における複合機と空気清浄機の構成は略同等であるため、図５での図示を省略している。本実施形態は、無線ＬＡＮアクセスポイント４が３つ以上存在する環境で用いられる。
図５の携帯端末５は、制御部５１、記憶部５２、操作部５３、無線通信部５４を有する。
【００４０】
制御部５１は、ＣＰＵ等から構成されるもので、記憶部５２に記憶したプログラムを読み出して実行することで携帯端末５全体を制御する。
記憶部５２は、ＲＯＭやＲＡＭ，ＨＤＤなどの各種記録媒体から成り、携帯端末５の各種機能を実現させるプログラム等を記憶する。各無線ＬＡＮアクセスポイント４の位置情報及び複合機２の位置情報を記憶している。
【００４１】
操作部５３は、入力部５３ａと表示部５３ｂを有する。入力部５３ａは、ユーザからの入力を受け付けるタッチパネルやハードキーを有する。タッチパネルは、表示部５３ｂに重ねて配置され、表示部５３ｂの表示面に対するユーザの操作を検出する。ハードキーには携帯端末５の電源ＯＮ／ＯＦＦするための電源キーなどが含まれる。表示部５３ｂは例えば液晶パネルである。
【００４２】
無線通信部５４は、無線によりＬＡＮ１０に接続されており、ＬＡＮ１０及びいずれかの無線ＬＡＮアクセスポイント４（例えば最も近い無線ＬＡＮアクセスポイント４）を介して複合機２等の外部機器と通信を行う。
【００４３】
この携帯端末５では、制御部５１が、各無線ＬＡＮアクセスポイント４からの無線電波強度を計測しており、その計測した無線電波強度と、記憶部５２に記憶された各無線ＬＡＮアクセスポイントの位置情報及び複合機２の位置情報とに基づいて、携帯端末５すなわち該端末５を所持する人の複合機に対する相対的な位置情報を取得する。
取得された位置情報は、無線通信部５４及びＬＡＮ１０を介して複合機２に送信される。送信するタイミングは例えば一定時間毎である。
【００４４】
複合機２では、移動判定部２１ａが、受信した位置情報に基づいて、複合機２に対する携帯端末５を所持している人の移動を判定する。そして、判定結果と各空気清浄機３Ａ〜３Ｂの配置情報に基づいて、動作指示を送信する空気清浄機を決定する。例えば、上記受信した位置情報に基づいて予測される、携帯端末５を所持している人の移動経路が、図２の経路Ｐ１である場合、空気清浄機３Ａ、３Ｅを動作指示の送信先として決定する。
【００４５】
（第３の実施形態）
以上の実施形態では、複合機が人感センサを有していたが、人感センサを複合機に設けず一部または全部の空気清浄機に設けて、複合機１では人感センサでの検知結果を空気清浄機から受信し、該検知結果に基づいて移動検出部での検出を行うようにしてもよい。
【００４６】
また、以上の例は、複数台の複合機を管理する例であるが、管理する複合機は１台であってもよい。また、以上の例とは異なり、複数台ある複合機の全てに対して同時に動作指示を行ってもよい。
【符号の説明】
【００４７】
１…空気清浄機管理システム、２…複合機、３…空気清浄機、４…無線ＬＡＮアクセスポイント、５…携帯端末、２１…制御部、２１ａ…移動判定部、２２…記憶部、２３…操作部、２４…通信部、２５…画像読取部、２６…画像形成部、２７…人感センサ、３１…制御部、３２…記憶部、３３…操作部、３４…フィルタ、３５…イオン発生器、３６…ファン、３７…有線通信部、３８…無線通信部、５１…制御部、５２…記憶部、５３…操作部
５４…無線通信部。
【図１】
2016163263.tif 000003
【図２】
2016163263.tif 000004
【図３】
2016163263.tif 000005
【図４】
2016163263.tif 000006
【図５】
2016163263.tif 000007